(57)【要約】【課題】  ハウンジングの内部が高温であるときには、操作者によって扉が開かれることを防止することができるガスクロマトグラフ用オーブンを用いたガスクロマトグラフを提供する。【解決手段】  開閉可能である扉１５を有するハウンジング１０と、ハウンジング１０の内部に配置されるカラム１１と、ハウンジング１０の内部で空気を加熱するヒータ１３と、ハウンジング１０の内部の温度を検出する温度センサ１８とを備えるガスクロマトグラフ用オーブン１を備えるガスクロマトグラフであって、扉１５が開かれることを不可能とするロック機構１９を備え、ロック機構１９は、温度センサ１８で検出された温度が設定温度以上であるときには、扉１５が開かれることを不可能とするように制御される。【選択図】図１
0003146025.tif 000002
【実用新案登録請求の範囲】
【請求項１】
開閉可能である扉を有するハウンジングと、
前記ハウンジングの内部に配置されるカラムと、
前記ハウンジングの内部で空気を加熱するヒータと、
前記ハウンジングの内部の温度を検出する温度センサとを備えるガスクロマトグラフ用オーブンを備えるガスクロマトグラフであって、
前記ガスクロマトグラフ用オーブンは、前記扉が開かれることを不可能とするロック機構を備え、
前記温度センサで検出された温度が設定温度以上であるときには、前記扉が開かれることを不可能とするように、前記ロック機構を制御するロック機構制御部を備えることを特徴とするガスクロマトグラフ。
【請求項２】
前記ガスクロマトグラフ用オーブンは、前記ハウンジングの内部で空気を循環させるファンと、
開閉可能である排気扉を有し、当該排気扉が開かれることにより、前記ハウンジングの外部に空気を排出する排気口と、
開閉可能である吸気扉を有し、当該吸気扉が開かれることにより、前記ハウンジングの内部に空気を導入する吸気口とを備え、
前記温度センサで検出された温度に基づいて、前記排気扉及び／又は吸気扉を開閉するように、前記排気扉及び／又は吸気扉を制御する温度制御部を備えることを特徴とする請求項１に記載のガスクロマトグラフ。
【考案の詳細な説明】
【技術分野】
【０００１】
本考案は、内部にカラムを収容して、カラムの温度を調節するガスクロマトグラフ用オーブンを用いたガスクロマトグラフに関する。
【背景技術】
【０００２】
ガスクロマトグラフでは、試料ガス（サンプル）が、キャリアガスに押されてカラムの入口端からカラム内に導入される。これにより、試料ガスに含まれる各測定物質は、カラム内を通過する間に時間軸方向に分離されて、カラムの出口端に到達することになる。このとき、試料ガスを所定の温度でカラム内を通過させるために、内部にカラムを収容して、カラムの温度を調節するガスクロマトグラフ用オーブンが用いられている（例えば、特許文献１参照）。
【０００３】
図３及び図４は、従来のガスクロマトグラフの一例の概略構成図である。なお、図３中では、ガスクロマトグラフ用オーブンについては、中部の高さの横断面図で示し、図４中では、上部の高さの横断面図で示している。
ガスクロマトグラフは、ガスクロマトグラフ用オーブン２と、ガスクロマトグラフ用オーブン２を制御する制御部４０とを備える。
ガスクロマトグラフ用オーブン２は、上下左右の４面の壁１２と、背面壁１６と、前面壁となる前面扉１５とで囲われた立方体形状のハウンジング１０を備え、ハウンジング１０の内部には、試料ガスが通過するカラム１１と、空気を循環させるラジアルファン１４と、空気を加熱するヒータ１３と、内部の温度Ｔを検出する温度センサ１８とが収容されるとともに、ハウンジング１０の外部には、ラジアルファン１４と回転軸を介して接続されたモータ１７が設けられている。
【０００４】
前面扉１５は、左端を軸として開閉可能に形成されており、操作者によって前面扉１５が開かれることにより、ハウンジング１０の内部に収容されたカラム１１と、別のカラムとを交換することができるようになっている。
また、背面壁１６の上部には、排気口３２が設けられており、排気口３２には、排気扉３６が開閉可能に形成されている。これにより、制御部４０によって排気扉３６が開かれることにより、内部の空気を排気口３２から外部に排出することができるようになっている。一方、背面壁１６の中部には、吸気口３３が設けられており、吸気口３３には、吸気扉３７が開閉可能に形成されている。これにより、制御部４０によって吸気扉３７が開かれることにより、外部の空気を吸気口３３から内部に導入することができるようになっている。
【０００５】
このようなガスクロマトグラフ用オーブン２において、制御部４０がヒータ１３に通電電力を供給することによって空気を加熱して、モータ１７でラジアルファン１４を回転させることによって加熱された空気を循環させることにより、ハウンジング１０の内部を均一の目的温度（例えば、４５０℃までの任意の温度）Ｔ’にすることができるようになっている。
このとき、制御部４０は、温度センサ１８で検出された温度Ｔが目的温度Ｔ’より低いときには、排気扉３６と吸気扉３７とを閉じるとともに、ヒータ１３への通電電力を上昇させることにより、１０℃／ｍｉｎとなるように空気を加熱していくことになる。
また、温度センサ１８で検出された温度Ｔが目的温度Ｔ’より高くなったときには、ヒータ１３への通電電力を減少させるとともに、排気扉３６と吸気扉３７とを開けることにより、外部の室温の空気を吸気口３３から導入するとともに、加熱された一部の空気を排気口３２から外部に排出する。
そして、測定が終了したときには、排気扉３６と吸気扉３７とを開けるとともに、ヒータ１３への通電電力を停止させることにより、外部の室温の空気を吸気口３３から導入するとともに、加熱された一部の空気を排気口３２から外部に排出していく。これにより、ハウンジング１０の内部を徐々に室温まで冷却するようになっている。
【特許文献１】特開平９−６８５２０号公報
【考案の開示】
【考案が解決しようとする課題】
【０００６】
しかしながら、上述したようなガスクロマトグラフ用オーブン２では、操作者が、ハウンジング１０の内部に収容されたカラム１１と、別のカラムとを交換する際に、作業を急ぐあまり、ハウンジング１０の内部が室温まで下がりきっていないときに、前面扉１５を開けてしまうことがあった。このとき、ハウンジング１０の内部が高温になっていることもあり、操作者が火傷をする場合があった。
また、外部の室温の大量の空気が内部に導入されることにより、カラム１１が急速に冷却されて、カラム１１の種類によってはカラム１１の液相組織が劣化してしまう場合もあった。
そこで、本考案は、ハウンジングの内部が高温であるときには、操作者によって扉が開かれることを防止することができるガスクロマトグラフ用オーブンを用いたガスクロマトグラフを提供することを目的とする。
【課題を解決するための手段】
【０００７】
上記課題を解決するためになされた本考案のガスクロマトグラフは、開閉可能である扉を有するハウンジングと、前記ハウンジングの内部に配置されるカラムと、前記ハウンジングの内部で空気を加熱するヒータと、前記ハウンジングの内部の温度を検出する温度センサとを備えるガスクロマトグラフ用オーブンを備えるガスクロマトグラフであって、前記ガスクロマトグラフ用オーブンは、前記扉が開かれることを不可能とするロック機構を備え、前記温度センサで検出された温度が設定温度以上であるときには、前記扉が開かれることを不可能とするように、前記ロック機構を制御するロック機構制御部を備えるようにしている。
【考案の効果】
【０００８】
本考案のガスクロマトグラフによれば、扉が開かれることを不可能とするロック機構を備え、温度センサで検出された温度が設定温度以上であるときには、扉が開かれることを不可能とするように、ロック機構が制御されるので、操作者によって扉が開かれることを防止することができる。
【０００９】
（他の課題を解決するための手段および効果）
また、上記の考案において、前記ガスクロマトグラフ用オーブンは、前記ハウンジングの内部で空気を循環させるファンと、開閉可能である排気扉を有し、当該排気扉が開かれることにより、前記ハウンジングの外部に空気を排出する排気口と、開閉可能である吸気扉を有し、当該吸気扉が開かれることにより、前記ハウンジングの内部に空気を導入する吸気口とを備え、前記温度センサで検出された温度に基づいて、前記排気扉及び／又は吸気扉を開閉するように、前記排気扉及び／又は吸気扉を制御する温度制御部を備えるようにしてもよい。
【考案を実施するための最良の形態】
【００１０】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００１１】
図１及び図２は、本考案の実施形態のガスクロマトグラフの一例の概略構成図である。なお、図１及び図２中では、ガスクロマトグラフ用オーブンについては中部の高さの横断面図で示している。また、ガスクロマトグラフ用オーブン２と同様のものについては、同じ符号を付している。ガスクロマトグラフ用オーブン１では、ガスクロマトグラフ用オーブン２と異なり、前面扉１５が開かれることを不可能とするロック機構１９が形成されているとともに、制御部２０は、ロック機構１９を制御するロック機構制御部２１ｂを有する。
ガスクロマトグラフは、ガスクロマトグラフ用オーブン１と、ガスクロマトグラフ用オーブン１を制御する制御部２０とを備える。
【００１２】
ガスクロマトグラフ用オーブン１は、上下左右の４面の壁１２と、背面壁１６と、前面壁となる前面扉１５とで囲われた立方体形状のハウンジング１０を備え、ハウンジング１０の内部には、試料ガスが通過するカラム１１と、空気を循環させるラジアルファン１４と、空気を加熱するヒータ１３と、内部の温度Ｔを検出する温度センサ１８と、前面扉１５が開かれることを不可能とするロック機構１９とが収容されるとともに、ハウンジング１０の外部には、ラジアルファン１４と回転軸を介して接続されたモータ１７が設けられている。
【００１３】
前面扉１５の内面の右端には、内面から垂直に突出する凸部１５ａが設けられており、凸部１５ａには、横方向に貫通する開口１５ｂを有する。そして、開口１５ｂには、後述するロック機構１９の棒部１９ａが挿入されることが可能となっている。
ロック機構１９は、右の壁１２の内面に取り付けられており、筒部１９ｂから棒部１９ａが横方向に出入可能となるように形成されている。
これにより、凸部１５ａの開口１５ｂにロック機構１９の棒部１９ａが挿入されると、前面扉１５は開かれることが不可能となるようになっている。なお、筒部１９ｂからの棒部１９ａの出入の移動は、ロック機構制御部２１ｂからの駆動信号によって制御されるようになっている。
【００１４】
制御部２０は、ＣＰＵ２１やメモリ２２を備え、ＣＰＵ２１が処理する機能をブロック化して説明すると、ヒータ１３や排気扉３６や吸気扉３７を制御する温度制御部２１ａと、ロック機構１９を制御するロック機構制御部２１ｂとを有する。また、メモリ２２は、設定温度Ｔｔｈ（例えば、５０°）を記憶する設定温度記憶領域２２ａを有する。
【００１５】
温度制御部２１ａは、温度センサ１８で検出された温度Ｔに基づいて、ヒータ１３や排気扉３６や吸気扉３７を制御する。
具体的には、温度センサ１８で検出された温度Ｔが目的温度Ｔ’より低いときには、排気扉３６と吸気扉３７とを閉じるとともに、ヒータ１３への通電電力を上昇させることにより、１０℃／ｍｉｎとなるように空気を加熱していく。
また、温度センサ１８で検出された温度Ｔが目的温度Ｔ’より高くなったときには、ヒータ１３への通電電力を減少させるとともに、排気扉３６と吸気扉３７とを開けることにより、外部の室温の空気を吸気口３３から導入するとともに、加熱された一部の空気を排気口３２から外部に排出する。
そして、測定が終了したときには、排気扉３６と吸気扉３７とを開けるとともに、ヒータ１３への通電電力を停止させることにより、外部の室温の空気を吸気口３３から導入するとともに、加熱された一部の空気を排気口３２から外部に排出する。これにより、ハウンジング１０の内部を徐々に室温まで冷却する。
【００１６】
ロック機構制御部２１ｂは、温度センサ１８で検出された温度Ｔに基づいて、ロック機構１９を制御する。
具体的には、温度センサ１８で検出された温度Ｔが設定温度Ｔｔｈ以上であるときには、操作者によって前面扉１５が開かれることを不可能とするように、凸部１５ａの開口１５ｂにロック機構１９の棒部１９ａを挿入する。一方、温度センサ１８で検出された温度Ｔが設定温度Ｔｔｈ未満であるときには、凸部１５ａの開口１５ｂにロック機構１９の棒部１９ａを挿入しない。つまり、操作者は前面扉１５を開くことができるようになっている。
【００１７】
次に、本考案の実施形態のガスクロマトグラフにおけるロック機構１９を制御する制御方法について説明する。図５は、制御方法について説明するためのフローチャートである。
まず、ステップＳ１０１の処理において、ロック機構制御部２１ｂは、温度センサ１８で検出された温度Ｔを取得する。
次に、ステップＳ１０２の処理において、ロック機構制御部２１ｂは、温度Ｔが設定温度Ｔｔｈ以上であるか否かを判定する。温度Ｔが設定温度Ｔｔｈ未満であるときには、ステップＳ１０１の処理に戻る。
【００１８】
一方、温度Ｔが設定温度Ｔｔｈ以上であるときには、ステップＳ１０３の処理において、ロック機構制御部２１ｂは、凸部１５ａの開口１５ｂにロック機構１９の棒部１９ａを挿入する。
次に、ステップＳ１０４の処理において、ロック機構制御部２１ｂは、温度センサ１８で検出された温度Ｔを取得する。
次に、ステップＳ１０５の処理において、ロック機構制御部２１ｂは、温度Ｔが設定温度Ｔｔｈ以上であるか否かを判定する。温度Ｔが設定温度Ｔｔｈ以上であるときには、ステップＳ１０４の処理に戻る。
【００１９】
一方、温度Ｔが設定温度Ｔｔｈ未満であるときには、ステップＳ１０６の処理において、ロック機構制御部２１ｂは、凸部１５ａの開口１５ｂからロック機構１９の棒部１９ａを引き出す。
次に、ステップＳ１０７の処理において、まだ測定を終了するか否かを判定する。測定を終了しないと判定したときには、ステップＳ１０１の処理に戻る。
一方、測定を終了すると判定したときには、本フローチャートを終了させる。
【００２０】
以上のように、ガスクロマトグラフによれば、前面扉１５が開かれることを不可能とするロック機構１９を備え、温度センサ１８で検出された温度Ｔが設定温度Ｔｔｈ以上であるときには、前面扉１５が開かれることを不可能とするように、ロック機構１９が制御されるので、操作者によって前面扉１５が開かれることを防止することができる。
【産業上の利用可能性】
【００２１】
本考案は、カラムの温度を調節するガスクロマトグラフに利用することができる。
【図面の簡単な説明】
【００２２】
【図１】本考案の実施形態のガスクロマトグラフの一例の概略構成図である。
【図２】本考案の実施形態のガスクロマトグラフの一例の概略構成図である。
【図３】従来のガスクロマトグラフの一例の概略構成図である。
【図４】従来のガスクロマトグラフの一例の概略構成図である。
【図５】制御方法について説明するためのフローチャートである。
【符号の説明】
【００２３】
１、２  ガスクロマトグラフ用オーブン
１０  ハウンジング
１１  カラム
１３  ヒータ
１５  前面扉
１８  温度センサ
１９  ロック機構
２０  制御部
２２  メモリ
【図１】
0003146025.tif 000003
【図２】
0003146025.tif 000004
【図３】
0003146025.tif 000005
【図４】
0003146025.tif 000006
【図５】
0003146025.tif 000007